(57)【特許請求の範囲】
【請求項１】
第一支持ウェブに固定された金属押圧ファスナーボール形状を有するオス部材(20)と、第二支持ウェブ（装着ウェブ）(13)に強固に結合可能な可塑性本体 (1)、メタルカップ(10)及びリベットキャップ(14)を有するメス部材(1,10)とを備え、前記メス部材は、前記オス部材の挿入端に向けて傾斜する拡大可能な係止領域(3) を有するとともに、前記係止領域(3) の拡大と関連する開口部 (7)を有してなる、押圧ファスナーであって、
メス部材の可塑性本体 (1)は事実上環状で、リングフランジ様の外周縁 (4)を有し、その外周縁 (4)の中央領域 (6)に前記係止領域 (3)を有し、前記リベットキャップ (14) から突出するリベット軸 (15) は装着ウェブ(13)を差し通すだけでなく可塑性本体(1) の中央貫通孔(5) を通り、内方で上方に拡径されて装着ウェブ(13)に強固に結合され、
前記係止領域(3) の径方向外側であって可塑性本体 (1)のリングフランジ様の外周縁 (4)には、外縁溝形状の開口部(7) を有し、その開口部(7) により、前記係止領域の一時的な拡大のための弾性動作が増大されることを特徴とする押圧ファスナー。
【請求項２】
前記メタルカップ(10)は、可塑性本体 (1)のオス部材挿入端面部に対向して配されるとともに、前記メタルカップの中央に前記可塑性本体(1) の中央領域(6) の半径方向に向かう自由動のみを許容する開口部(11)を有してなり、前記可塑性本体(1) の中央領域(6) は前記係止領域(3) をもつ前記挿入端を有してなることを特徴とする、請求項１記載の押圧ファスナー。
【請求項３】
係止領域 (3)が、一時的な拡大を補助するような多角形であることを特徴とする、請求項１又は２に記載の押圧ファスナー。
【請求項４】
係止領域 (3)が径方向の内側に向かう四つの周方向に均等に配された突部 (9)を有することを特徴とする、請求項３記載の押圧ファスナー。
【請求項５】
可塑性本体 (1)がポリオキシメチレン(POM) から成形されることを特徴とする、請求項１〜４のいずれかに記載の押圧ファスナー。
【請求項６】
メタルカップ (10) が、その外縁部 (12) を内方へ丸めて玉縁部にすることにより、可塑性本体 (1)の外周縁 (4)に連結することができることを特徴とする、請求項１記載の押圧ファスナー。
【請求項７】
メタルカップ (10) 及び可塑性本体 (1)を彩色することを特徴とする、請求項２〜６のいずれかに記載の押圧ファスナー。
【発明の詳細な説明】
【０００１】
【発明の属する技術分野】
本発明は第１支持ウェブに固着された押圧ファスナーボール形状を有するオス部材と、リベットキャップから突出し中央貫通孔に挿通されるリベット軸を用いて第２支持ウェブに強固に結合可能な可塑性本体とメタルカップとを有するメス部材とを備えた押圧ファスナーに関する。
【０００２】
【従来の技術とその課題】
かかるタイプの先行技術による押圧ファスナー（DE 39 18 375 A1, EP 0 401 574 A2）によれば、メス部材は、殆どがパンチングシートエレメントからなる複数のエレメントを備えており、それらが互いに連結されてユニットを形成すると共に、オス部材の押圧ファスナーボール部分を保持するための弾性部材を有している。前記弾性部材は背部からボール頭部を掴む。これらの押圧ファスナーは構造が複雑であり、その結果その製造に関してコストがかかり、更には開閉サイクルの回数を少なくするという耐久性の上での弊害がある。
【０００３】
他の先行技術の例によれば、メス部材はシート状真鍮製のアイレットパンの形状をなしており、その縁部は、オス部材の押圧ファスナーボール部分をメス部材に挿入したときに、先に一時的に変形されている可塑性リングが背部から押圧ファスナーボール部分を掴むように、拡径可能な可塑性リングを有している。リングの多角形状とは別に、周面上に径方向に突出するカムを有する円形の可塑性リングを挿入することも公知である。また、これらの例では、比較的複雑な金属シートのアイレットパンは機能上必須な重要性をもっている。その上、所望する多回数の開閉サイクルを達成することができない。
【０００４】
本発明の目的は、最初に述べたタイプの押圧ファスナーを開発し、低価格で且つ構造が簡単であり、しかも多回数の開閉サイクルを実現するファスナーを得ることにある。
【０００５】
【課題を解決するための手段及び作用効果】
本発明によれば、この目的は、第一支持ウェブに固定された金属押圧ファスナーボール形状を有するオス部材と、第二支持ウェブに強固に結合可能な可塑性本体、メタルカップ及びリベットキャップを有するメス部材とを備え、前記メス部材は、前記オス部材の挿入端に向けて傾斜する拡大可能な係止領域を有するとともに、前記係止領域の拡大と関連する開口部を有してなる、押圧ファスナーであって、メス部材の可塑性本体は事実上環状で、リングフランジ様の外周縁を有し、その外周縁の中央領域に前記係止領域を有し、前記リベットキャップから突出するリベット軸は装着ウェブを差し通すだけでなく可塑性本体１の中央貫通孔を通り、内方で上方に拡径されて装着ウェブに強固に結合され、前記係止領域の径方向外側であって可塑性本体のリングフランジ様の外周縁には、外縁溝形状の開口部を有し、その開口部により、前記係止領域の一時的な拡大のための弾性動作が増大されることにより基本的に達成される。
【０００６】
この機能上必須である可塑性本体は、効率よく従って廉価な方法で可塑性材料を射出成形することにより製造できる。更には、その係止領域により極めて高い開閉サイクルを可能にすることが約束される。
【０００７】
特に効果的な実施例では、可塑性本体はリングフランジ様外周縁を備えてなり、中央貫通孔を有する中央領域が軸線方向にずれてそこに連結され、係止領域の弾性作用を高めるための全周溝が可塑性本体のリングフランジ様外周縁の前記係止領域から径方向の外側に配されている。
【０００８】
この構造において、係止領域は円形の形状であってもよい。しかしながら、特に効果的な変形例によれば、係止領域が径方向内側に４つの周方向に均等に配された突部を有する多角形であることが好ましい。
【０００９】
可塑性本体を製造するための材料としては、ポリアミド又はポリエステルを用いてもよい。しかしながら、可塑性本体がポリオキシメチレン（ＰＯＭ）から成形される場合、消費されるエネルギーを大して変えずに、少なくとも５０，０００回の順序通りの特に高い回数の開閉サイクルが達成されるであろうことが分かっている。従って、そのようなメス部材を有する押圧ファスナーは、財布のような寿命の長い商品に特に適しており、主に皮革産業において用いられている。
【００１０】
上述の高いサイクル回数にもかかわらず、挿入端部に対向する可塑性本体の側に、前記可塑性本体がオス部材の挿入端部を自由に通過させるだけの開口を持つメタルカップと関連づけると、耐久性が高く特に美麗な外観が得られる。このメタルカップは、いかなる態様で可塑性本体に連結されてもよい。特に効果的な変形例において、メタルカップはその外縁部を内向きに丸めて玉縁部にすることにより可塑性本体の外周縁に連結される。
【００１１】
当然、メス部材、即ち可塑性本体及びメタルカップは、必要に応じて異なる２つの色合いに彩色されてもよい。特に美麗な彩色は、メタルカップを可塑性本体と共に金色の色合いで彩色することにより得られる。
【００１２】
更なる詳細、効果、及び特徴的な構成は、以下の記載と添付図面から明らかになる。
【００１３】
【発明の実施の形態】
以下、本発明の好適な実施の形態を図面に従って具体的に説明する。
図１及び図２は、メス部材を要部を構成する可塑性本体の二つの異なる実施例の底面図である。
図３は、図1 及び2 に示されたメス部材の縦断面図である。
図４は、連結前の図３に示す可塑性本体の縦断面を同じく断面図で示したメタルカップと共に示す図である。
【００１４】
これらの図面から理解できるように、本実施例によるメス部材は、基本的に、丸いボール収容領域２と同ボール収容領域２と略同軸上に延び且つオス部材２０（図６参照）のための挿入端に向けてテーパー状である係止領域３とを有する可塑性本体１を備えており、前記係止領域３は一時的に拡径可能である。前記可塑性本体１は、リングフランジ様外周縁４を有しており、そこに軸方向にずれた状態で、中央貫通孔５を有する中央領域６が連結されている。係止領域３の弾性動作を大きくするための全周溝７は、係止領域３の径方向の外側の可塑性本体１のリングフランジ様外周縁４に配されている。実際には、前記全周溝７は、オス部材２０のための挿入端に向けてテーパー状とされている係止領域３が径方向にかたよることができるようにする所謂逃げ部を構成している。
【００１５】
図１に示すように、係止領域３の径方向の内周面８は円形であり、一方、図２の実施例では多角形である。更に、図２に示すように、前記係止領域３には周方向に均等に配された４つの突部９がある。
【００１６】
可塑性本体１を製造するのに適した材料は、ポリアミド又はポリエステルである。ポリオキシメチレン（ＰＯＭ）を使用した場合、５０，０００回以上の順序正しい特に高い回数の開閉サイクルが実現できる。
【００１７】
図４以降に示すように、オス部材２０のボール部分のための挿入端に対向する側において、可塑性本体１は挿入端部をオス部材２０のボール部分が自由に通過するためだけの開口１１を有するメタルカップ１０を結合させている。メタルカップ１０は、リングフランジ様外周縁４を嵌挿後に、その外縁部１２を内方へ丸めて玉縁部にすることにより、可塑性本体１の外周縁４に連結することができる。
【００１８】
メタルカップ１０は所要のいかなる彩色を効果的に施してもよく、例えば金色の色合いに彩色された可塑性本体に対応して金色の色合いに彩色してもよい。
【００１９】
図７は、皮革ウェブや織物ウェブ等の装着ウェブ１３に固定する前の、メス部材をその全てのエレメントとともに示している。基本的に環状可塑性本体１及びメタルカップ１０を有するメス部材を装着ウェブ１３に固定するために、キャップリベットはリベットキャップ１４及び公知の態様で該キャップ１４から突出するリベット軸１５を有している。
図８は装着ウェブに固着されたメス部材を示している。図示のように、リベットキャップ１４は、装着ウェブ１３を差し通すだけでなく可塑性本体１の中央貫通孔５を通り、内方で上方に拡径されたリベット軸１５の変形により、装着ウェブ１３に強固に結合される。
【図面の簡単な説明】
【図１】メス部材を構成する可塑性本体の１つの態様例を示す底面図である。
【図２】メス部材を構成する可塑性本体の他の態様例を示す底面図である。
【図３】図１及び２に示された可塑性本体の縦断面図である。
【図４】可塑性本体及びメタルカップの結合前の縦断面図である。
【図５】可塑性本体及びメタルカップの結合後のユニットを示す縦断面図である。
【図６】図５に示す前記ユニットに押圧ファスナーボールを嵌着したときの縦断面図である。
【図７】装着ウェブに固着される前のリベットキャップ及びリベット軸を有するリベットと前記ユニットとの縦断面図である。
【図８】装着ウェブに固着された後の、メス部材の縦断面図である。
【符号の説明】
１              可塑性本体
２              ボール収容領域
３              係止領域
４              リングフランジ様外周縁
５              中央貫通孔
６              中央領域
７              全周溝（開口部）
８              内周面
９              突部
１０              メタルカップ
１１              開口
１２              外縁部
１３              装着ウェブ
１４              リベットキャップ
１５              リベット軸
２０            （押圧ファスナーボール状）オス部材
【図１】
0004563523.tif 000002
【図２】
0004563523.tif 000003
【図３】
0004563523.tif 000004
【図４】
0004563523.tif 000005
【図５】
0004563523.tif 000006
【図６】
0004563523.tif 000007
【図７】
0004563523.tif 000008
【図８】
0004563523.tif 000009